【事件の表示】
　特許第２９１３２９８号「パチンコ機の制御装置」の請求項１に係る特許に対する特許異議の申立てについて、次のとおり決定する。
【結　論】
　訂正を認める。
　特許第２９１３２９８号の請求項１に係る特許を維持する。
【理　由】
１．手続の経緯
　特許第２９１３２９８号の請求項１に係る発明についての出願は、昭和６２年１２月２８日に特許出願された特願昭６２−３３４０１１号の一部を平成１０年６月１６日に新たな特許出願として出願（特願平１０−１６８４２６号）したものである。
　そして、平成１１年４月１６日にその特許の設定登録がなされ、その後特許異議申立人細江裕実により、特許異議の申立てがあり、平成１２年３月３１日付けで取消理由を通知したところ、その指定期間内である平成１２年６月９日に訂正請求がなされた。
　さらに、平成１２年８月２３日に訂正拒絶理由を通知したところ、平成１２年１１月６日に特許異議意見書が提出されたものである。
　
２．訂正の適否についての判断
２−１．訂正の内容
　訂正事項ａ　
　図１の符号「３６」を「３２」と訂正する。
　
２−２．訂正の目的の適否、新規事項の有無及び拡張・変更の存否
　上記訂正事項ａは、明細書の各所に「ＲＯＭ３２」、「基板３６」と記載されている点からみて図面のＲＯＭに対する符号を「３６」から「３２」に訂正することは、誤記の訂正に該当する。
　そして、この訂正事項は、いずれも願書に添付した明細書または図面に記載された事項の範囲内のものであって、実質上特許請求の範囲を拡張または変更するものではない。
　
２−３．独立特許要件の判断
（本件の請求項１に係る発明）
　本件の請求項１に係る発明は平成１２年６月９日付け訂正請求により訂正された訂正明細書及び図面の記載からみて、その特許請求の範囲に記載された次のとおりのものである。
　「遊技盤がパチンコ機本体に対して分離可能なパチンコ機において、パチンコ機の背面に設けられた基板に、ＣＰＵによって制御される共通回路及び非共通回路を設けると共に、複数機種のパチンコ機に共通に使用される賞品球払出装置及び打球装置を設け、上記共通回路は、上記賞品球払出装置又は打球装置を制御するための複数機種に共通なプログラムを格納したＲＯＭ、及び上記複数機種に共通に使用可能な、音声を発生させる音声信号発生回路を搭載し、上記非共通回路は、遊技を行うための遊技手順など複数機種に固有のプログラムを格納したＲＯＭ、及び複数機種に固有の音声を発生させる音声信号発生回路を搭載したことを特徴とするパチンコ機の制御回路。」（以下「本件発明」という）
　
　上記の特許請求の範囲に記載された本件発明に対して、当審が平成１２年３月３１日付けの取消理由で引用した刊行物１には、以下の事項が記載されている。
　　刊行物１：特開昭６２−１８３７７９号公報　　（甲第２号証）
　　刊行物１には、
　「遊技機に設けられた入力部材からの信号を受けて、遊技機に設けられた出力部材を制御する回路基板を、多種類の遊技機で共通的に使用できる共通回路部を備える共通回路基板と、各種類別の遊技機に特有の制御をする種類別回路部を備える種類別回路基板とで構成し、種類別回路基板を共通回路基板に対して着脱自在にしたことを特徴とする、遊技機の制御基板」（第１頁左下欄第５行〜第１２行）、
　「遊技機は、遊技盤を取替えることによって、該遊技盤に設けられている前記出力部材を交換可能なパチンコ遊技機」（第１頁右下欄第３行〜第５行）、
　「この発明は、制御基板を主制御部と副制御部とで構成し、遊技盤の変更によるゲーム内容の変更に対し、副制御部だけを交換することにより対処可能にした制御基板を提供することを主たる目的としている。」（第２頁右上欄第１２行〜第１６行）、
　「共通回路基板１２には、中央処理装置（ＣＰＵ）およびランダムアクセスメモリ（ＲＡＭ）を含む集積回路チップ２４、リードオンリメモリ（ＲＯＭ）を含む集積回路チップ２６、電源回路集積回路チップ２８、音発生回路集積回路チップ３０を含んでいる。ＲＯＭ集積回路チップ２６には、各種類別のパチンコ遊技機特有の制御プログラムが格納されているが、この実施例では、共通回路基板１２の方に取付けられている。そのため、種類別回路基板１４の交換時に、ＲＯＭ集積回路チップ２６も交換できるように、ＲＯＭ集積回路チップ２６は、共通回路基板１２上にコネクタ３２を取付け、該コネクタ３２に対して着脱自在に設けられている」（第２頁右下欄第１６行〜第３頁左上欄第９行）、
　「種類別回路基板１４は、この制御基板１０が取付けられるパチンコ遊技機の種類に応じて交換されるもので、所定の種類別回路基板１４が選ばれ、図示ように共通回路基板１２と電気的に結合される」（第３頁右上欄第１５行〜第１９行）、
　「ＲＯＭ集積回路チップ２６は、共通回路基板１２に設けるのではなく、種類別回路基板１４上に設けるのがよい。そうすれば、種類別回路基板１４の取替えに伴い、共通回路基板１２のＲＯＭ集積回路チップを交換する必要がなくなる」（第４頁左下欄第１６行〜右上欄第１行）、
　「第５図は、第４図に示す第４の実施例をパチンコ遊技機８０の機構板８１に取付ける場合を表わす図である。」（第４頁右下欄第３行〜第５行）、
　「第６図は、この発明の一実施例の制御基板１０を含むパチンコ機８０の正面図である。第７図を参照して、パチンコ機８０は、前面枠８２に取替え可能なように着脱自在に装着された遊技盤８４を含む。遊技盤８４のほぼ中央部には、前述した制御基板１０によって制御される可変表示装置８６が設けられ、その下には可変表示装置８６の表示態様に基づいて開閉制御される開閉板８８を含む９０が設けられている。可変入賞球装置９０も、上記制御基板１０によって制御される。可変入賞球装置９０は、開閉板８８が前方に開いたとき、そこに横長の入賞開口が現れるようにされている。可変表示装置８６の左右両側および下側中央には、始動入賞孔９２ａ，９２ｂ，９２ｃが設けられている」（第４頁右下欄第１７行〜第５頁左上欄第１１行）、
　「パチンコ遊技機８０には、さらに、打球供給皿１０６に内蔵された効果音発生用のスピーカ１０８および数多くのランプが設けられており、これらも制御基板１０によって制御される」（第５頁右上欄第１７行〜第２０行）、
　「第１１図において、２点鎖線１２で囲った各回路が、第５図で説明した制御基板１０のうち、共通回路基板１２に備えられている。また、２点鎖線１４で囲った各回路は、種類別回路基板１４に備えられている（第１１図中、符号１１は符号１４の誤記であると認める）。」（第６頁右上欄第１５行〜第１９行）、
　「この発明は、遊技機に設けられ、電気的に制御される各制御部材を制御するための制御基板を、多種類の遊技機で共通的に使用できる共通回路基板と、種類別の遊技機に特有の制御を行なうための種類別回路基板とで構成し、両者を着脱自在にしたので、遊技盤の取替えやゲーム内容の細かな変更等に伴う制御回路の取替えが必要なときに、必要な回路部分だけを取替えることができ、安価に、かつ回路部品を節約しながら制御回路を提供することができる。」（第９頁左下欄第１行〜第１０行）と記載されている。
　（対比・判断）
　本件発明と刊行物１に記載された発明とを比較すると、音声信号発生回路に関して、前者の共通回路は複数機種のパチンコ機に共通に使用可能な音声を発生する音声信号発生回路を搭載し、非共通回路は複数機種のパチンコ機に固有の音声を発生する音声信号発生回路を搭載しているのに対して、後者の共通回路は音声を発生させる音声信号発生回路を搭載しているものの、非共通回路における音声信号発生回路については何らの記載もない点で相違している。
　そして、本件発明は上記構成により、「各機種に共通な部分（共通回路）には、複数機種のパチンコ機に共通に使用される音声信号発生回路が設けられる。そして、機種に応じて異なる部分の回路（非共通回路）には、複数機種に固有の音声を発生させる音声信号発生回路が設けられ、上記共通に使用される音声信号発生回路とは区別されて、設計管理や補修がやり易くなる。」という刊行物１にはみられない顕著な効果を奏することが明らかであるので、本件発明は刊行物１に記載された発明から当業者が容易に想到し得たものとはいえない。
　なお、「音声信号発生回路」とは、具体的にどのようなもの（音声信号の発生に関してどこからどこまで関与している回路）であって、２つの（共通回路と非共通回路の）音声信号発生回路の機能がどのように異なるものであるかが不明瞭である、との内容で特許法第３６条第３項及び第４項違反している旨の取消理由を併せて通知した。
　これに関しては、平成１２年６月９日付けの特許異議意見書における主張の通りと認められるから、この取消理由も解消した。
　したがって、本件の請求項１に係る発明は、特許出願の際、独立して特許を受けることができるものである。
　
２−４．むすび
　以上のとおりであるから、上記訂正は、特許法第１２０条の４第２項及び同条第３項において準用する第１２６条第２項ないし第４項の規定に適合するので、上記訂正を認める。
　
３．特許異議の申立てについての判断
３−１．本件発明
　本件発明は平成１２年６月９日付け訂正請求書により訂正された訂正明細書と図面の記載からみて、その特許請求の範囲の請求項１に記載されたとおりのものである。（上記２−３．参照）
　
３−２．特許異議申立人細江裕実の特許異議申立について　
　特許異議申立人細江裕実は、本件の請求項１に係る発明は、甲第１号証ないし３号証に記載された発明から、もしくは甲第１号証ないし第５号証に記載された発明から当業者が容易に発明をすることができたものであるから、特許法第２９条第２項の規定に該当し、特許法第１１３条第１項第２号の規定により特許を取り消されるべきと主張している。
　そして、上記甲号各証には、以下のとおりの事項が記載されている。
　
　甲第１号証（特開昭５８−９２８３０号公報）には、
　「電子工業界における半導体集積回路の高密度集積化に伴ってコンピュータが小型化し、ワンボードあるいはワンチップ・マイクロコンピュータを用いた装置が著しく普及している今日、遊技業界においても遊技機の従来の機械的機構をマイクロコンピュータ等を用いて電子化することが試みられ、遊技機の一部の制御機構、特に超電動ヤクモノと呼ばれる各種電動装置の制御には、ＩＣ，ＬＳＩ等を用いた電子制御装置が必要不可欠な存在になりつつある。」（第１頁左欄第１７行〜右欄第６行）、
　「遊技業界では、例えばパチンコ機にあっては、顧客吸引のために１年に２乃至３回、新しいゲーム内容のパチンコ機と入れ替えることが慣習となっているので、高価な電子制御装置を用いたパチンコ機を買い替えることはパチンコホールにとって多大な経済的負担となる。」（第１頁右欄第１１行〜第１６行）、
　「ハードの追加や改造を不要にしてゲーム内容を変えることができるようにして、異なるゲーム内容に適用できるようにしたきわめて有効、適切な遊技機の制御方法及びその装置を提供することを目的とする」（第１頁右欄第１８行〜第２頁左上欄第２行）、
　「本発明は、上記目的を達成するために、遊技機の基本機能をプログラムに表し、遊技機の具体的な制御内容を定数に表わして記憶し、遊技機を制御する際、読み出した定数の内容を基本プログラムによって実行制御することを特徴としている」（第２頁左上欄第３行〜第７行）、
　「第１図において、パチンコ機のセーフ球検出装置１、アウト球検出装置２、電動ヤクモノ３、賞球表示ランプ４、打止表示ランプ５、賞球送出装置６、打止装置７等の遊技機の端末機は、電子制御装置８内の入出力制御装置９を介してＣＰＵ（中央処理装置）１０に接続されており、ＣＰＵ１０にはＲＯＭ（リードオンリーメモリ）１１、ＰＲＯＭ（プログラマプルリードオンリーメモリ）１２、ＲＡＭ（ランダムアクセスメモリ）１３、プログラム書込操作部１４がそれぞれ接続されている」（第２頁左上欄第９行〜同第１８行）、
　「パチンコ機の基本機能は、打ち込まれたパチンコ球がセーフ球として入賞すると、所定数のパチンコ球を賞球として賞出すると共に、打込まれたパチンコ球を入球とし、賞出されたパチンコ球を出球として出球数と入球数との差球数が打止設定数に達すると打止めを行なうことであり、この基本機能を基本プログラムとして電子制御装置８のＲＯＭ１１に記憶させておく」（第２頁左上欄第１９行〜右上欄第６行）、
　「第１図における打止装置７を作動させると同時に打止表示ランプ５を点灯させること、打止表示ランプ５の点灯時間、賞出と同時に賞球表示ランプ４を点灯すること、賞球表示ランプ４の点灯時間などがあり、これら具体的な制御内容は、それぞれ定数として表してプログラム書込操作部１４からＰＲＯＭ１２に記憶されるようになっている」（第２頁右上欄第１７行〜左下欄第４行）、
　「図示の実施例では、電子制御装置８のプログラム書込操作部１４からＰＲＯＭ１２に、異なるゲーム内容を表わす確定数を書込むようになっている。プログラム書込操作部１４からＰＲＯＭ１２へ定数を書込む手段としては、番地操作キー、磁気カード、穿孔カード、磁気テープ等の適宜の手段を用いることができる。
また、図示の実施例のようにＰＲＯＭ１２の記憶内容を変えてゲーム内容を変える場合のほかに、ＲＯＭを用い、各ＲＯＭに異なるゲーム内容を表わす定数を記憶させておき、所望のゲーム内容を記憶したＲＯＭと交換することによってゲーム内容を変えるようにすることもできる」（第２頁左下欄第１１行〜同頁右下欄第２行）、
　「遊技機のゲーム内容の変化が定数として表示されるものは、例えばパチンコ機においてはセーフ球１個当りの賞出数があり、セーフ球１個当り１５個のパチンコ球を賞出するパチンコ機はオール１５のパチンコ機と称し、セーフ球１個当り１３個のパチンコ球を賞出するものはオール１３のパチンコ機と称しており、オール１３の内容のパチンコ機をオール１５のゲーム内容のパチンコ機に変えるには、ＰＲＯＭ１２にセーフ球１個当り１５個の賞球数を定数として表わして記憶させれば足りる」（第２頁右下欄第１７行〜第３頁左上欄第６行）、
　「電子制御装置８は、遊技機の種類によっては遊技機本体に固定又は着脱自在に組込んで設けるか又は遊技機本体とは別離に例えば遊技機の取付基枠等に設けることができる。電子制御装置８を遊技機に着脱自在又は遊技機本体と別に設けるには、遊技機の端末器を単一又は複数個の一方のコネクタに接続し、電子制御装置８の入出力制御装置９に接続された他方のコネクタに遊技機の該コネクタを着脱自在に接続することによって行なうことができる。
遊技機の種類によっては遊技盤のみを交換してゲーム内容を変えるようにした分離式と呼ばれるものがあり、この場合は電子制御装置８を遊技盤以外の例えば遊技機枠体又は遊技機の取付基台等に設けておき、遊技盤と電子制御装置８の電気的接続は、遊技盤の裏面に設けたコネクタと電子制御装置８のコネクタで接続すればよい。交換される遊技盤によって、制御されるゲーム内容が異なるが、例えばパチンコ機にあってはパチンコ機の基本機能は同じであるから、それぞれの遊技盤に応じたゲーム内容をそれぞれの定数に表わして電子制御装置８のＰＲＯＭ１２を遊技盤ごとに記憶させれば、交換された遊技盤のゲーム内容を表わすパチンコ機として制御することができる」（第３頁左上欄第１７行〜同頁右上欄第２０行）、
　「基本プログラムを変えることなく、制御内容を表す定数のみを変えることによって遊技機のゲーム内容を変えることができるから、ゲーム内容の変更をきわめて簡単に行なうことができるという顕著な効果を奏する」（第４頁左欄第１７行〜右欄第１行）、がそれぞれ記載されている。
　
　甲第２号証については、「２−３．独立特許要件の判断」で、述べたとおりである。
　
　甲第３号証（特開昭６２−１８３７８０号公報）には、
　「（１）特定入賞口に於ける玉の入賞を検出する入賞検出装置を設け、該特定入賞口への入賞に応じて、より入賞確率の高くなる当たりモードを決定し、そのモードに応じて、入賞口への球の入賞確率を制御するとともに、発光装置、発音装置等の出力装置を駆動する制御装置とからなるパチンコ機において、前記制御装置を、ワンチップ上に第１，第２の中央処理装置が形成され、その両中央処理装置は、マクロ的に平行に動作するデュアルワンチップマイクロコンピュータで構成したことを特徴とするパチンコ機。
（２）前記デュアルワンチップマイクロコンピュータの内、第１の中央処理装置は、前記入賞確率を制御して、パチンコ機のゲーム進行を管理することを特徴とする特許請求の範囲第１項記載のパチンコ機。
（３）前記デュアルワンチップマイクロコンピュータの内、第２の中央処理装置は、発音装置、発光装置、その他の出力装置の内、少なくとも１を制御することを特徴とする特許請求の範囲第１項記載のパチンコ機。
（４）前記デュアルワンチップマイクロコンピュータの内、第２の中央処理装置は、特定入賞口への入賞に応じて偶然性に左右される事象を生起させ、その事象から当たりモードを決定する処理を行うことを特徴とする特許請求の範囲第１項記載のパチンコ機。」（特許請求の範囲）であること、
　「即ち、本発明は、特定入賞口に於ける玉の入賞を検出する入賞検出装置を設け、該特定入賞口への入賞に応じて、より入賞確率の高くなる当たりモードを決定し、そのモードに応じて、入賞口への球の入賞確率を制御するとともに、発光装置、発音装置等の出力装置を駆動する制御装置とからなるパチンコ機において、前記制御装置を、ワンチップ上に第１、第２の中央処理装置が形成され、その両中央処理装置は、マクロ的に平行に動作するデュアルワンチップマイクロコンピュータで構成したことを特徴とするものである。
前記デュアルワンチップマイクロコンピュータの２の中央処理装置の分業には、例えば、次の様な手段がある。第１は、第１の中央処理装置が入賞確率を制御して、パチンコ機のゲーム進行を主として管理し、他の仕事を第２の中央処理装置が行う方法である。第２は、第２の中央処理装置が発音装置、発光装置、その他の出力装置の内、少なくとも１を制御し、他の仕事を第１の中央処理装置が行う方法である。第３は、第２の中央処理装置が、偶然性に左右される事象を生起する処理を行い、他の仕事を第１の中央処理装置が行う方法である。
【作用】デュアルワンチップマイクロコンピュータの第１の中央処理装置は、例えば、ゲームの進行状態を制御する主処理に使用し、第２の中央処理装置は、発音装置、発光装置、その他の出力装置を制御するための副処理に使用する。この両中央処理装置は、記憶装置を専用的に又共用的に使用出来るため、独自のプログラムを記憶させたり、共通のデータを共通に管理することが出来、複雑なゲームの処理を簡単化できる。又、動作状態の中央処理装置を自動的に１ステップづつ交互に又プログラム制御で任意に切り換える事が出来るので、マクロ的には、両中央処理装置は、平行に動作しているものと見倣すことが出来る。したがって、リアルタイム平行処理が可能となるので、たとえば、ゲームの進行の管理と、出力装置の管理とを平行に分業して行うことが出来る。このため、より木目細かな複雑な制御が出来る。また、割込み処理の如く、レジスタの退避等の割り込み処理特有の処理を行う必要がないので、動作が効率的である。」（第２頁右上欄第７行〜右下欄第１１行）、
　「制御装置には、デュアル・ワンチップマイクロコンピュータ１（以下「デュアルゴンピュータ」と言う）が使用されている。そのデュアルコンピュータ１は、ＣＰＵ１とＣＰＵ２の２つの中央処理装置を有しており、内部ＲＯＭ、内部ＲＡＭを双方からアクセスすることが可能である。そして、それぞれのＣＰＵは、独自のプログラムに沿って、１ステップづつ自動的に交互に実行したり（オートスワップモード）、動作ＣＰＵのプログラム制御により、他のＣＰＵに動作を移行させる制御が可能である（プログラムスワップモード）。
係るデュアルコンピュータ１には、外部ＲＯＭ３、外部ＲＡＭ５が両ＣＰＵからともにアクセス可能に接続されている。」（第３頁右上欄第１７行〜左下欄第１１行）、
　「ＲＯＭ３には、第６図に示すように発音モード毎に異なるメロディーを出力するための制御データ群が記憶されている。」（第５頁右下欄第１行〜第３行）、
　「以上述べたように、本実施例では、デュアルコンピュータの２のＣＰＵの内１のＣＰＵは、パチンコ機の主制御に用い、他のＣＰＵは、制御の複雑な、発音装置の制御専用に使用されている。したがって、個々に独立のプログラムを開発すれば良いので、製作が簡単である。」（第６頁左上欄第６行〜同欄第１１行）、
　「したがって、両中央処理装置は、独自の処理プログラムに沿って、必要なデータを共有しつつ、平行的に実行することが出来るので、異なる仕事の同時処理が可能となる。このため、パチンコ機のゲーム展開をより複雑にしたり、ゲームの進行と平行して、複雑な楽音で構成されたメロディーを出力したり、複雑に変動する照明を実現したりすることが可能となり、より娯楽性を向上させることが出来る。また、プログラムの開発は、それぞれの中央処理装置に制御させる独自のプログラムを他の中央処理装置のプログラムに影響されることなく別個に行うことができる。従って、ゲームプログラムの開発と、発音制御等のプログラムの開発とを、それぞれの専門家の手で行うことができ、装置の開発が容易となる。」（第６頁右上欄第１４行〜左下欄第８行）、がそれぞれ記載されている。
　
　甲第４号証（特開昭５６−１３９７７５号公報）には、
　「弾球遊技機の各種の遊技状態に適した効果音を効果音の種類別に対応するメモリに予めディジタル的に記憶させておき、弾球遊技機の遊技状態を遊技状態別に対応する検出器で検出し、いずれかの遊技状態検出器の出力があったとき複数のメモリを共通的に番地指定しかつ遊技状態検出器に対応するメモリのみを読出能動化制御することにより、当該メモリの音声情報のディジタル信号を読出制御する」（第２頁右下欄第２行〜第１３行）、
　「以下の説明では、複数のメモリの総称するときすなわちＰ−ＲＯＭ群を１１で示し、以下には各Ｐ−ＲＯＭのあとに数字１〜８の番号を付して説明する。また、メモリ１１はＰ−ＲＯＭに限ることなく、ＲＯＭまたはＲＡＭを用いてもよいが、ここでは弾球遊技機を台交換して遊技の種類が異なっても効果音発生装置をそのままとし、メモリ１１の内容を更新的に書込むことによりあらゆる弾球遊技機の遊技状態に適した効果音を発生するため、および閉店後において電源を切っても書込んだ音声情報が揮発しない点を考慮して、Ｐ−ＲＯＭを用いた場合を述べる。」（第３頁左上欄第４行〜第１５行）、
　「前記Ｐ−ＲＯＭ１〜８の各出力は共通のデータバスを介してディジタル−アナログ（以下Ｄ−Ａ）変換回路１４に与えられる。このＤ−Ａ変換回路１４は各Ｐ−ＲＯＭ１〜８から読出された音声情報のディジタル信号をアナログ信号に変換して音声発生手段１５に含まれる低周波増幅器１５１に与える。低周波増幅器１５１は、必要に応じて可変抵抗器を用いて音量調節自在とし、その増幅した音声情報のアナログ信号すなわち効果音をスピーカ１５２から発生させる」（第３頁左下欄第１６行〜右下欄第５行）、がそれぞれ記載されている。
　
　甲第５号証（特開昭５５−１３３２７４号公報）には、
　「ＣＰＵ、入出力コントローラ、ＲＡＭ及びＲＯＭからなるマイクロコンピューターの構成要素が一つの素子上に形成された半導体素子により構成されたことを特徴とする弾球遊戯機。」（特許請求の範囲）、
　「本発明の弾球遊戯機はＣＰＵ、入出力コントローラ、ＲＡＭ及びＲＯＭ全てのマイクロコンピューターの構成要素が一つの素子上に形成された半導体素子より構成されたことを特徴とするため、従来の弾球遊戯機が有していたような種々の回路のための配線が不要となり、電気制御部の構成が簡単になると共に、前記回路間の接続が不要となり、信号授受が確実に行なわれ、遊戯機の組立工数を減少せしめて機単価を廉価にし、量産がはかれる」（第５頁左下欄第１５行〜同右下欄第５行）、がそれぞれ記載されている。
　しかしながら、上記いずれの証拠も、「（上記）共通回路は、（上記）賞品球払出装置又は打球装置を制御するための複数機種に共通なプログラムを格納したＲＯＭ、及び上記複数機種に共通に使用可能な、音声を発生させる音声信号発生回路を搭載し、（上記）非共通回路は、遊技を行うための遊技手順など複数機種に固有のプログラムを格納したＲＯＭ、及び複数機種に固有の音声を発生させる音声信号発生回路を搭載した」ものではなく、本件発明が上記構成により、「各機種に共通な部分（共通回路）には、複数機種のパチンコ機に共通に使用される音声信号発生回路が設けられる。そして、機種に応じて異なる部分の回路（非共通回路）には、複数機種に固有の音声を発生させる音声信号発生回路が設けられ、上記共通に使用される音声信号発生回路とは区別されて、設計管理や補修がやり易くなる。」という甲第１号証ないし甲第５号証にはみられない顕著な効果を奏することが明らかであるので、本件発明は甲第１号証ないし甲第５号証に記載された発明から当業者が容易に想到し得たものとはいえない。
　
３−３．むすび
　したがって、特許異議申立ての理由及び証拠によっては、本件の請求項１に係る発明の特許を取り消すことはできない。
　また、他に本件の請求項１に係る発明の特許を取り消すべき理由を発見しない。
　よって、結論のとおり決定する。
【異議決定日】
平成１３年３月２３日（２００１．３．２３）
【訂正の要旨】
訂正の要旨
訂正事項ａ
　図１の符号「３６」を「３２」と訂正する。
【図面】